【手続補正書】
【提出日】平成24年9月13日(2012.9.13)
【手続補正１】
【補正対象書類名】特許請求の範囲
【補正対象項目名】全文
【補正方法】変更
【補正の内容】
【特許請求の範囲】
【請求項１】
主走査方向及び副走査方向に間隔を空けて配列された複数の発光部を夫々が有する第１及び第２の光源手段と、該第１及び第２の光源手段の夫々から出射した複数の光束を偏向手段の同一偏向面に入射させる第１及び第２の入射光学系と、前記同一偏向面にて偏向走査された複数の光束を夫々対応する第１及び第２の被走査面上に集光する結像光学系と、を備えるマルチビーム光走査装置であって、
前記同一偏向面と前記第１及び第２の被走査面の夫々との間の光路中に、反射面を備える反射部材を有しており、
副走査断面内において、前記同一偏向面と前記第１及び第２の被走査面の夫々とは共役な関係を満たしており、
副走査断面内において、前記第１の入射光学系は、前記偏向手段の回転軸に垂直な平面に対して斜め上方向から有限の角度を成すように、前記第１の光源手段から出射した前記複数の光束を前記同一偏向面に入射させており、かつ前記第２の入射光学系は、該平面に対して斜め下方向から有限の角度を成すように、前記第２の光源手段から出射した前記複数の光束を前記同一偏向面に入射させており、
前記第１の光源手段から出射し前記同一偏向面で偏向走査される光束が副走査断面内において前記反射部材の反射面により反射される回数である第１の折り返し回数と、前記第２の光源手段から出射し前記同一偏向面で偏向走査される光束が副走査断面内において前記反射部材の反射面により反射される回数である第２の折り返し回数との差がゼロを含む偶数であり、
前記第１の光源手段が有する複数の発光部のうち、前記第１の被走査面上における副走査方向の先頭の第１の走査線の印字に対応する発光部を第１の発光部、前記第２の光源手段が有する複数の発光部のうち、前記第２の被走査面上における副走査方向の先頭の第２の走査線の印字に対応する発光部を第２の発光部、とした時、前記第１及び第２の光源手段の夫々における前記第１及び第２の発光部の夫々の副走査方向の位置が互いに異なっていることを特徴とするマルチビーム光走査装置。
【請求項２】
前記第１及び第２の光源手段の夫々は、複数の発光部が同一基板上に形成されたモノリシックなマルチビーム半導体レーザーであり、
主走査方向及び副走査方向において、前記同一基板上に設けられた複数の発光部同士の間隔は同一であることを特徴とする請求項１に記載のマルチビーム光走査装置。
【請求項３】
前記第１及び第２の光源手段の夫々は、少なくとも１つの発光部を含む複数の光源を有しており、
前記第１及び第２の光源手段の夫々において、前記複数の光源から出射した複数の光束を同一方向に導光するビーム合成手段を備えていることを特徴とする請求項１に記載のマルチビーム光走査装置。
【請求項４】
主走査方向及び副走査方向に間隔を空けて配列された複数の発光部を夫々が有する第１及び第２の光源手段と、該第１及び第２の光源手段の夫々から出射した複数の光束を偏向手段の同一偏向面に入射させる第１及び第２の入射光学系と、前記同一偏向面にて偏向走査された複数の光束を夫々対応する第１及び第２の被走査面上に集光する結像光学系と、を備えるマルチビーム光走査装置であって、
前記同一偏向面と前記第１及び第２の被走査面の夫々との間の光路中に、反射面を備える反射部材を有しており、
副走査断面内において、前記同一偏向面と前記第１及び第２の被走査面の夫々とは共役な関係を満たしており、
副走査断面内において、前記第１の入射光学系は、前記偏向手段の回転軸に垂直な平面に対して斜め上方向から有限の角度を成すように、前記第１の光源手段から出射した前記複数の光束を前記同一偏向面に入射させており、かつ前記第２の入射光学系は、該平面に対して斜め下方向から有限の角度を成すように、前記第２の光源手段から出射した前記複数の光束を前記同一偏向面に入射させており、
前記第１の光源手段から出射し前記同一偏向面で偏向走査される光束が副走査断面内において前記反射部材の反射面により反射される回数である第１の折り返し回数と、前記第２の光源手段から出射し前記同一偏向面で偏向走査される光束が副走査断面内において前記反射部材の反射面により反射される回数である第２の折り返し回数との差が奇数であり、
前記第１の光源手段が有する複数の発光部のうち、前記第１の被走査面上における副走査方向の先頭の第１の走査線の印字に対応する発光部を第１の発光部、前記第２の光源手段が有する複数の発光部のうち、前記第２の被走査面上における副走査方向の先頭の第２の走査線の印字に対応する発光部を第２の発光部、とした時、前記第１及び第２の光源手段の夫々における前記第１及び第２の発光部の夫々の副走査方向の位置が互いに同じであることを特徴とするマルチビーム光走査装置。
【請求項５】
前記第１及び第２の光源手段の夫々は、複数の発光部が同一基板上に形成されたモノリシックなマルチビーム半導体レーザーであり、
主走査方向及び副走査方向において、前記同一基板上に設けられた複数の発光部同士の間隔は同一であることを特徴とする請求項４に記載のマルチビーム光走査装置。
【請求項６】
前記第１及び第２の光源手段の夫々は、少なくとも１つの発光部を含む複数の光源を有しており、
前記第１及び第２の光源手段の夫々において、前記複数の光源から出射した複数の光束を同一方向に導光するビーム合成手段を備えていることを特徴とする請求項４に記載のマルチビーム光走査装置。
【請求項７】
主走査方向及び副走査方向に間隔を空けて配列された複数の発光部を夫々が有する第１及び第２の光源手段と、該第１及び第２の光源手段の夫々から出射した複数の光束を偏向手段の同一偏向面に入射させる第１及び第２の入射光学系と、前記同一偏向面にて偏向走査された複数の光束を夫々対応する第１及び第２の被走査面上に集光する結像光学系と、を備えるマルチビーム光走査装置であって、
前記同一偏向面と前記第１及び第２の被走査面の夫々との間の光路中に、反射面を備える反射部材を有しており、
副走査断面内において、前記同一偏向面と前記第１及び第２の被走査面の夫々とは共役な関係を満たしており、
副走査断面内において、前記第１及び第２の入射光学系の双方は、前記偏向手段の回転軸に垂直な平面に対して斜め上方向又は斜め下方向のいずれか一方の同じ方向から有限の角度を成すように前記複数の光束を前記同一偏向面に入射させており、
前記第１の光源手段から出射し前記同一偏向面で偏向走査される光束が副走査断面内において前記反射部材の反射面により反射される回数である第１の折り返し回数と、前記第２の光源手段から出射し前記同一偏向面で偏向走査される光束が副走査断面内において前記反射部材の反射面により反射される回数である第２の折り返し回数との差がゼロを含む偶数であり、
前記第１の光源手段が有する複数の発光部のうち、前記第１の被走査面上における副走査方向の先頭の第１の走査線の印字に対応する発光部を第１の発光部、前記第２の光源手段が有する複数の発光部のうち、前記第２の被走査面上における副走査方向の先頭の第２の走査線の印字に対応する発光部を第２の発光部、とした時、前記第１及び第２の光源手段の夫々における前記第１及び第２の発光部の夫々の副走査方向の位置が互いに同じであることを特徴とするマルチビーム光走査装置。
【請求項８】
前記第１及び第２の光源手段の夫々は、複数の発光部が同一基板上に形成されたモノリシックなマルチビーム半導体レーザーであり、
主走査方向及び副走査方向において、前記同一基板上に設けられた複数の発光部同士の間隔は同一であることを特徴とする請求項７に記載のマルチビーム光走査装置。
【請求項９】
前記第１及び第２の光源手段の夫々は、少なくとも１つの発光部を含む複数の光源を有しており、
前記第１及び第２の光源手段の夫々において、前記複数の光源から出射した複数の光束を同一方向に導光するビーム合成手段を備えていることを特徴とする請求項７に記載のマルチビーム光走査装置。
【請求項１０】
主走査方向及び副走査方向に間隔を空けて配列された複数の発光部を夫々が有する第１及び第２の光源手段と、該第１及び第２の光源手段の夫々から出射した複数の光束を偏向手段の同一偏向面に入射させる第１及び第２の入射光学系と、前記同一偏向面にて偏向走査された複数の光束を夫々対応する第１及び第２の被走査面上に集光する結像光学系と、を備えるマルチビーム光走査装置であって、
前記同一偏向面と前記第１及び第２の被走査面の夫々との間の光路中に、反射面を備える反射部材を有しており、
副走査断面内において、前記同一偏向面と前記第１及び第２の被走査面の夫々とは共役な関係を満たしており、
副走査断面内において、前記第１及び第２の入射光学系の双方は、前記偏向手段の回転軸に垂直な平面に対して斜め上方向又は斜め下方向のいずれか一方の同じ方向から有限の角度を成すように前記複数の光束を前記同一偏向面に入射させており、
前記第１の光源手段から出射し前記同一偏向面で偏向走査される光束が副走査断面内において前記反射部材の反射面により反射される回数である第１の折り返し回数と、前記第２の光源手段から出射し前記同一偏向面で偏向走査される光束が副走査断面内において前記反射部材の反射面により反射される回数である第２の折り返し回数との差が奇数であり、
前記第１の光源手段が有する複数の発光部のうち、前記第１の被走査面上における副走査方向の先頭の第１の走査線の印字に対応する発光部を第１の発光部、前記第２の光源手段が有する複数の発光部のうち、前記第２の被走査面上における副走査方向の先頭の第２の走査線の印字に対応する発光部を第２の発光部、とした時、前記第１及び第２の光源手段の夫々における前記第１及び第２の発光部の夫々の副走査方向の位置が互いに異なっていることを特徴とするマルチビーム光走査装置。
【請求項１１】
前記第１及び第２の光源手段の夫々は、複数の発光部が同一基板上に形成されたモノリシックなマルチビーム半導体レーザーであり、
主走査方向及び副走査方向において、前記同一基板上に設けられた複数の発光部同士の間隔は同一であることを特徴とする請求項１０に記載のマルチビーム光走査装置。
【請求項１２】
前記第１及び第２の光源手段の夫々は、少なくとも１つの発光部を含む複数の光源を有しており、
前記第１及び第２の光源手段の夫々において、前記複数の光源から出射した複数の光束を同一方向に導光するビーム合成手段を備えていることを特徴とする請求項１０に記載のマルチビーム光走査装置。
【請求項１３】
請求項１乃至１２のいずれか１項に記載のマルチビーム光走査装置と、前記第１及び第２の被走査面上に配置され、互いに異なる色の画像を形成する第１及び第２の像担持体と、を有することを特徴とする画像形成装置。
【手続補正２】
【補正対象書類名】明細書
【補正対象項目名】０００５
【補正方法】変更
【補正の内容】
【０００５】
図２２（Ａ）はマルチビーム光源手段を使用し、かつ斜入射光学系を使用した画像形成装置の要部概略図である。同図に示す画像形成装置は、被走査面である感光体が複数（通常はＹ、Ｍ、Ｃ、Ｋの４色に対応した４つ）存在している。この種の画像形成装置においては、各色に対応した被走査面上において、全ての被走査面で図２２（Ｂ）に示すような走査線が副走査方向に連続して描かれた場合はＹ、Ｍ、Ｃ、Ｋの４色が全て重なることになる。しかし、例えば、ＹとＫの色に対応した被走査面上において図２２（Ｂ）に示すような走査線が副走査方向に連続して描かれ、ＭとＣの色に対応した被走査面上において図２２（Ｃ）に示すような走査線が副走査方向に連続して描かれた場合には、問題点が生ずる。
【手続補正３】
【補正対象書類名】明細書
【補正対象項目名】０００６
【補正方法】変更
【補正の内容】
【０００６】
つまり、主走査方向の中央部では、Ｙ、Ｍ、Ｃ、Ｋの４色が全て重なることになるが、主走査方向の中央部以外ではＹ、ＫとＭ、Ｃが副走査方向にずれてしまうことになる。その結果、出力画像の主走査方向の中央部においては４色全て重なるが、主走査方向の中央部、特に走査開始側と走査終了側では４色が重ならず、色ズレとして観察されてしまうことになる。つまり、図２２（Ａ）で示したような構成のマルチビーム光源手段を使用し、かつ斜入射光学系を使用した画像形成装置においては、Ｃ、Ｍの色に対応した被走査面上においては、図２２（Ｂ）に示すような走査線が副走査方向に連続して描かれることとなる。また、一方、Ｋ、Ｙの色に対応した被走査面上においては図２２（Ｃ）に示すような走査線が副走査方向に連続して描かれることとなる。その結果として主走査方向の中央部以外ではＣ、ＭとＫ、Ｙの色が重ならず、副走査方向の色ズレとして観察されてしまうことになる。
【手続補正４】
【補正対象書類名】明細書
【補正対象項目名】０００８
【補正方法】変更
【補正の内容】
【０００８】
本発明に係るマルチビーム光走査装置は、主走査方向及び副走査方向に間隔を空けて配列された複数の発光部を夫々が有する第１及び第２の光源手段と、該第１及び第２の光源手段の夫々から出射した複数の光束を偏向手段の同一偏向面に入射させる第１及び第２の入射光学系と、前記同一偏向面にて偏向走査された複数の光束を夫々対応する第１及び第２の被走査面上に集光する結像光学系と、を備えるマルチビーム光走査装置であって、前記同一偏向面と前記第１及び第２の被走査面の夫々との間の光路中に、反射面を備える反射部材を有しており、副走査断面内において、前記同一偏向面と前記第１及び第２の被走査面の夫々とは共役な関係を満たしており、副走査断面内において、前記第１の入射光学系は、前記偏向手段の回転軸に垂直な平面に対して斜め上方向から有限の角度を成すように、前記第１の光源手段から出射した前記複数の光束を前記同一偏向面に入射させており、かつ前記第２の入射光学系は、該平面に対して斜め下方向から有限の角度を成すように、前記第２の光源手段から出射した前記複数の光束を前記同一偏向面に入射させており、前記第１の光源手段から出射し前記同一偏向面で偏向走査される光束が副走査断面内において前記反射部材の反射面により反射される回数である第１の折り返し回数と、前記第２の光源手段から出射し前記同一偏向面で偏向走査される光束が副走査断面内において前記反射部材の反射面により反射される回数である第２の折り返し回数との差がゼロを含む偶数であり、前記第１の光源手段が有する複数の発光部のうち、前記第１の被走査面上における副走査方向の先頭の第１の走査線の印字に対応する発光部を第１の発光部、前記第２の光源手段が有する複数の発光部のうち、前記第２の被走査面上における副走査方向の先頭の第２の走査線の印字に対応する発光部を第２の発光部、とした時、前記第１及び第２の光源手段の夫々における前記第１及び第２の発光部の夫々の副走査方向の位置が互いに異なっていることを特徴とする。
また、本発明に係る他のマルチビーム光走査装置では、上記「異なっている」を「同じである」に、かつ上記「ゼロを含む偶数」を「奇数」に置き換えることを特徴とする。また、本発明に係る更に他のマルチビーム光走査装置では、「前記第１及び第２の入射光学系の双方は、前記偏向手段の回転軸に垂直な平面に対して斜め上方向又は斜め下方向のいずれか一方の同じ方向から有限の角度を成すように前記複数の光束を前記同一偏向面に入射」させており、かつ上記「異なっている」を「同じである」に置き換えるか、又は上記「ゼロを含む偶数」を「奇数」に置き換えることを特徴とする。
なお、上記マルチビーム光走査装置を用いた画像形成装置も本発明の他の一側面を構成する。
【手続補正５】
【補正対象書類名】明細書
【補正対象項目名】００１０
【補正方法】変更
【補正の内容】
【００１０】
【図１】実施例１の主走査方向及び副走査方向の要部断面図
【図２】実施例１の入射光学系の副走査方向の要部断面図及び２つの発光部の配置を示す図
【図３】実施例１の副走査方向の要部断面図及び２つの発光部の配置を示す図
【図４】実施例１の２本の光束が偏向面で反射される様子を示す主走査断面図及び被走査面上における２本の走査線間隔の変化を示す図
【図５】実施例１の副走査方向の要部断面図及び２つの発光部の配置を示す図
【図６】実施例１の２本の光束が偏向面で反射される様子を示す主走査断面図及び被走査面上における２本の走査線間隔の変化を示す図
【図７】実施例１の被走査面上における２本の走査線間隔の変化を示す図
【図８】実施例１の被走査面上における複数の走査線間隔の変化を示す図
【図９】実施例１の被走査面上における２本の走査線間隔の変化を示す図及び被走査面上における２本の走査線間隔の変化を示す図
【図１０】実施例２の副走査方向の要部断面図及び主走査方向の要部断面図及び入射光学系ＬＡの副走査方向の要部断面図
【図１１】実施例２の副走査方向の要部断面図及び２つの発光部の配置を示す図及び２本の光束が偏向面で反射される様子を示す主走査断面図
【図１２】実施例２の２本の光束が偏向面で反射される様子を示す主走査断面図
【図１３】実施例２の被走査面上における２本の走査線間隔の変化を示す図及び副走査方向の要部断面図及び２つの発光部の配置を示す図
【図１４】実施例２の２本の光束が偏向面で反射される様子を示す主走査断面図
【図１５】実施例２の２本の光束が偏向面で反射される様子を示す主走査断面図
【図１６】実施例２の被走査面上における２本の走査線間隔の変化を示す図及び被走査面上における２本の走査線間隔の変化を示す図
【図１７】実施例３の４つの発光部の配置を示す図及び４本の光束が偏向面で反射される様子を示す主走査断面図及び４本の光束が偏向面で反射される様子を示す主走査断面図
【図１８】実施例３の４つの発光部の配置を示す図及び４本の光束が偏向面で反射される様子を示す主走査断面図及び被走査面上における４本の走査線間隔の変化を示す図
【図１９】実施例３の被走査面上における複数の走査線間隔の変化を示す図及び被走査面上における４本の走査線間隔の変化を示す図及び被走査面上における複数の走査線間隔の変化を示す図
【図２０】実施例３の被走査面上における４本の走査線間隔の変化を示す図及び被走査面上における複数の走査線間隔の変化を示す図
【図２１】実施例４の入射光学系の副走査方向の要部断面図及び２つの発光部の配置を示す図及び２本の光束が偏向面で反射される様子を示す主走査断面図
【図２２】従来のマルチビーム光走査装置
【手続補正６】
【補正対象書類名】明細書
【補正対象項目名】００２８
【補正方法】変更
【補正の内容】
【００２８】
図４（Ｂ）は図１（Ｂ）のＣの色の被走査面７上（図１（Ａ）の光偏向器の右側の被走査面に相当）において走査終了側（図１（Ａ）の光偏向器の右側の被走査面において下側）を走査しているときの副走査断面図である。かつ２本の光束ａ、ｂの主光線が偏向面で反射される様子を示す副走査断面図である。ここで、図４（Ａ）を見ると、所定時間δＴだけタイミングをずらしたときの偏向面５ｂ（点線で示す）で反射される発光部１ｂから出射した光束ｂの反射点は、以下のようになる。つまり、光束ｂの反射点は、発光部１ａから出射した光束ａが偏向面５ａ（実線で示す）で反射される反射点に対して、ｆθレンズ系６に近づく方向にずれていることが解る。
【手続補正７】
【補正対象書類名】明細書
【補正対象項目名】００４７
【補正方法】変更
【補正の内容】
【００４７】
そこで、本実施例においては、Ｃの色に対応した被走査面７上における走査線と、Ｋの色に対応した被走査面７上における走査線とが、副走査方向において走査領域全域で重なるように設定している。つまり、本実施例では、光偏向器５の回転軸Ｓに垂直な面Ｔに対して斜め上方向から入射する光束に対応する光源手段１の複数の発光部１ａ，１ｂのうち、副走査方向の先頭ライン（最も上端側のライン）の印字（Ｋの色）に対応する発光部を発光部１ａとする。また光偏向器５の回転軸Ｓに垂直な面Ｔに対して斜め下方向から入射する光束に対応する光源手段１の複数の発光部１ａ，１ｂのうち、副走査方向の先頭ライン（最も上端側のライン）の印字（Ｃの色）に対応する発光部を発光部１ａとする。このとき副走査方向の先頭ラインの印字に対応するＫ色及びＣ色用の発光部１ａ・１ａを夫々副走査方向で互いに異ならせている。つまり、本実施例では副走査方向の先頭ラインの画像データを書き始めるＫ色の発光部は１ｂ、Ｃ色用の発光部は１ａとなるように夫々の色に対応して異ならせている。
【手続補正８】
【補正対象書類名】明細書
【補正対象項目名】００５９
【補正方法】変更
【補正の内容】
【００５９】
また、図９（Ｃ）に、副走査方向の先頭ラインの画像データを書き始める発光部として１ａを選択したときの、図１（Ｂ）におけるＫの色の被走査面７上での２つの発光部１ａ、１ｂで走査される２本のラインの実際の走査ラインの様子を示す。走査中央部では600DPIである42.33μｍの間隔になっているが、走査の開始側端部（像高のマイナス側端部）では43.42μｍ、走査の終了側端部（像高のプラス側端部）では41.27μｍとなっている。これより、主走査方向において図９（Ａ）と反対になっていることが解る。図９（Ｄ）に、副走査方向の先頭ラインの画像データを書き始める発光部として１ａを選択したときの、図１（Ｂ）におけるＫの色の被走査面７上での２つの発光部１ａ、１ｂで走査される２本のラインの実際の副走査方向の間隔を示す。
【手続補正９】
【補正対象書類名】明細書
【補正対象項目名】００６２
【補正方法】変更
【補正の内容】
【００６２】
ここでは、Ｃの被走査面７に対応した光路の反射ミラーの折り返し回数とＫの被走査面７に対応した光路の反射ミラーの折り返し回数とが等しい場合（折り返し回数の差がゼロである場合）に関して説明を行った。しかし、これに限らず、Ｃの被走査面７に対応した光路の反射ミラーの折り返し回数とＫの被走査面７に対応した光路の反射ミラーの折り返し回数の差が偶数であれば同様の効果が得られる。本実施例ではＣの被走査面７に対応した光路の反射ミラーの折り返し回数とＫの被走査面７に対応した光路の反射ミラーの折り返し回数とが等しいので、折り返し回数の差は０であり、偶数である。なお、光偏向器５を挟んで反対側のＹとＭの色に対応した光学系(走査ユニットＵ２）においても、ＣとＫの色に対応した光学系と同様な効果を得られることは言うまでもない。
【手続補正１０】
【補正対象書類名】明細書
【補正対象項目名】００９８
【補正方法】変更
【補正の内容】
【００９８】
また、本実施例では複数の入射光学系にそれぞれ対応して設けた光源手段を２つの発光部より構成したが、これに限定されることはない。例えば複数の入射光学系にそれぞれ対応して少なくとも１つの発光部を有する光源手段を複数設けても良い。このとき複数の光源手段からそれぞれ出射した少なくとも１つの光束を同一方向に出射せしめるビーム合成手段で合成して光偏向器の偏向面に導光するように構成すればよい。なお、このとき例えば上記の本実施例と同様な効果を得るには、以下のように構成すればよい。
【手続補正１１】
【補正対象書類名】明細書
【補正対象項目名】００９９
【補正方法】変更
【補正の内容】
【００９９】
つまり、回転多面鏡の回転軸に垂直な面に対して斜め上方向から入射する光束の光路のうち、副走査方向の先頭ラインの印字に対応する光源手段を光源手段１とする。また、回転多面鏡の回転軸Ｓに垂直な面に対して斜め下方向から入射する光束の光路のうち、副走査方向の先頭ラインの印字に対応する光源手段を光源手段１とする。このとき、光源手段１・１を夫々副走査方向で互いに同じにして使用すれば前述の本実施例と同様の効果を得ることができる。このように本実施例においては、上述した如く複数の色に対応した感光体上に印字された画像の色ズレ、特に主走査方向の端部において顕著となる副走査方向の色ズレを良好に補正することができる。
【手続補正１２】
【補正対象書類名】明細書
【補正対象項目名】０１０７
【補正方法】変更
【補正の内容】
【０１０７】
次に、同様に図１８（Ｃ）に示したKの色に対応した感光体7上における走査線を繰り返し副走査方向に連続して印字した場合の実際の出力画像を図１９（Ｂ）に示す。この場合も、副走査方向の先頭ラインの画像データは、副走査方向の先頭ラインの印字に対応する発光部1aで印字を行った場合の出力画像を示している。しかし、このまま通常に印字を行ってしまうと、図１９（Ａ）と図１９（Ｂ）から明らかに主走査方向の中央部以外ではCとKの色が重ならず、副走査方向の色ズレとして観察されてしまうことになる。その様子を示したのが図１９（Ｃ）である。従って、本発明の実施例３においては、Kの色に対応した画像を印字する場合に、副走査方向の先頭ラインの画像データを副走査方向の先頭ラインの印字に対応する発光部1aではなく、発光部1cを使用して印字を行うように制御する構成としている。次に、発光部1d、発光部1a、発光部1bの順番で走査し印字を行う。このようにして出力したKの色に対応した画像を図２０（Ａ）に示す。
【手続補正１３】
【補正対象書類名】明細書
【補正対象項目名】０１０９
【補正方法】変更
【補正の内容】
【０１０９】
図１９（Ｃ）に示した色ずれと比較して、図２０（Ｂ）で示した色ずれの方が小さくなっていることが解る。前述の実施例１（発光部が２つ）では、副走査方向の先頭ラインの印字に対応するＫ色及びＣ色用の発光部を夫々副走査方向で互いに異ならせている。これによりＣの色に対応した被走査面７上における走査線と、Ｋの色に対応した被走査面７上における走査線を副走査方向において走査領域全域で重ねることが可能であった。しかしながら、実施例３では発光部を４つとしている。そのため、図２０（Ｂ）に示すように副走査方向の先頭ラインの印字に対応するＫ色及びＣ色用の発光部を夫々副走査方向で互いに異ならせて使用しても実施例１のようにＣ、Ｋの色に対応した走査線を走査領域全域で重ねることはできない。しかしながら、図１９（Ｃ）の状態に比べれば、実施例３は色ずれを低減する効果があることが解る。
【手続補正１４】
【補正対象書類名】明細書
【補正対象項目名】０１１７
【補正方法】変更
【補正の内容】
【０１１７】
つまり、上記光路折り返し回数の差が偶数である場合は、副走査方向の先頭ラインの印字に対応するＫ色及びＣ色用の発光部１ａ・１ａをそれぞれ副走査方向で互いに同じにしている。それによって、Cの色に対応した被走査面7上における走査線と、Kの色に対応した被走査面7上における走査線が、副走査方向において走査領域全域で重ねることが可能となり、色ズレのない高精細な画像出力を可能としている。一方、実施例４において、副走査方向の上方向から2.5度、7.5度の角度を成して入射された複数の光束の光路折り返し回数の差が奇数である場合には、今までの説明からも簡単に理解できる。つまり、この場合は、副走査方向の先頭ラインの印字に対応するＫ色（上方向2.5度）及びＣ色（上方向7.5度）用の発光部１ａ・１ａをそれぞれ副走査方向で互いに異ならせて使用すれば良い。なお、実施例４は、複数の入射光学系が副走査方向の上方向から所定の角度を成して配置されている構成としたが、これに限らず、下方向から所定の角度を成して配置されている構成としても良い。